(57)【要約】【課題】本発明は、離散的な光源列が用いられた光源装置及びそれを備えた表示装置に関し、小型かつ薄型で良好な表示品質の得られる光源装置及びそれを備えた表示装置を提供することを目的とする。【解決手段】光を射出する点状光源４４ａ、４４ｂと、点状光源４４ａ近傍以外の領域に配置され、点状光源４４ａ側から導光する光を外部に採り出す第１の採光要素を有する第１の発光領域Ａ、Ｃと、点状光源４４ｂ近傍以外の領域に配置され、点状光源４４ｂ側から導光する光を外部に採り出す第２の採光要素を有する第２の発光領域Ｂ、Ｃとを備えた面状導光板４２とを有するように構成する。【選択図】　　図２
2004146268.tif 000002
【特許請求の範囲】
【請求項１】
光を射出する第１及び第２の光源と、
前記第１の光源近傍以外の領域に配置され、前記第１の光源側から導光する光を外部に採り出す第１の採光要素を有する第１の発光領域と、前記第２の光源近傍以外の領域に配置され、前記第２の光源側から導光する光を外部に採り出す第２の採光要素を有する第２の発光領域とを備えた面状導光板と
を有することを特徴とする光源装置。
【請求項２】
請求項１記載の光源装置において、
前記第１及び第２の採光要素は、前記面状導光板表面に形成されたプリズム形状を含むこと
を特徴とする光源装置。
【請求項３】
請求項１又は２に記載の光源装置において、
前記第１及び第２の採光要素は、前記面状導光板表面に形成された光散乱要素を含むこと
を特徴とする光源装置。
【請求項４】
請求項１乃至３のいずれか１項に記載の光源装置において、
前記面状導光板は、前記第１及び第２の光源にそれぞれ対向する端面に、光を反射させる光反射要素を有していること
を特徴とする光源装置。
【請求項５】
請求項１乃至４のいずれか１項に記載の光源装置において、
前記第１の光源は前記第２の発光領域に近接して配置され、
前記第２の光源は前記第１の発光領域に近接して配置されていること
を特徴とする光源装置。
【請求項６】
請求項１乃至５のいずれか１項に記載の光源装置において、
前記第１及び第２の光源を所定の点滅周波数でかつ互いに異なる所定のタイミングで発光させる光源駆動回路をさらに有していること
を特徴とする光源装置。
【請求項７】
請求項１乃至６のいずれか１項に記載の光源装置において、
前記第１及び第２の発光領域は、それぞれ複数個に分割されて交互に配列していること
を特徴とする光源装置。
【請求項８】
複数の画素からなる表示領域を備えた表示パネルと、前記表示パネルに所定の駆動信号を供給する駆動回路と、前記表示パネルを照明する光源装置とを有する表示装置において、
前記光源装置は、請求項１乃至７のいずれか１項に記載の光源装置が用いられていること
を特徴とする表示装置。
【請求項９】
請求項８記載の表示装置において、
前記表示パネルは、一対の基板と前記一対の基板間に封止された液晶とを備えた液晶表示パネルが用いられていること
を特徴とする表示装置。
【請求項１０】
請求項８又は９に記載の表示装置において、
前記点滅周波数は、前記表示パネルのフレーム周波数に等しいこと
を特徴とする表示装置。
【発明の詳細な説明】
【０００１】
【発明の属する技術分野】
本発明は、離散的な光源列が用いられた光源装置及びそれを備えた表示装置に関する。
【０００２】
【従来の技術】
液晶表示装置の光源には、冷陰極管や発光ダイオード（ＬＥＤ；Ｌｉｇｈｔ　Ｅｍｉｔｔｉｎｇ　Ｄｉｏｄｅ）が用いられている。比較的小型の液晶表示装置には、軽量かつ小型化が可能なＬＥＤが多く用いられる。ＬＥＤは点状光源であるため、表示画面内を均一に照明するには、光を面内に均一に広げるための構造が必要となる。
【０００３】
液晶表示装置には、反射型の液晶表示パネルと液晶表示パネルの表面側（表示画面側）から照明するフロントライトユニットとで構成されるフロントライト方式と、透過型の液晶表示パネルと液晶表示パネルの裏面側から照明するバックライトユニットとで構成されるバックライト方式とがある。
【０００４】
例えば、従来の一般的なフロントライトユニットは、ＬＥＤと導光板（面状導光板）と棒状導光体のライトガイドパイプとを有している。ライトガイドパイプは、点状光源であるＬＥＤから射出された光の射出方向を揃えて線状光源化するために用いられる。線状光源化した光は導光板の側面から入射して面内に均一に導光し、面状光源が得られる。しかし、この構成では、光源装置の部品点数が増加し、また低効率、低輝度であるという問題が生じる。
【０００５】
上記の問題を解決する構成として、複数のＬＥＤと、隣り合うＬＥＤからの光を混合するための光混合領域とを共に導光板の裏面側に有し、光混合領域で混合された光を導光板に導入する半円筒状の曲面鏡を導光板端部に有するバックライトユニットが知られている（例えば、非特許文献５参照）。
【０００６】
また、本願出願人による日本国特許出願（特願２００２−１３７６６号）には、導光板の採光領域の手前に複数のＬＥＤからの光を混合する光混合領域を有する光源装置が提案されている。
【０００７】
ところで、ホールド型の表示方式である液晶表示装置では、動画を表示させると画像の輪郭ぼけが生じてしまう。輪郭ぼけを抑制するために、階調データの書込みが終了した領域の光源を順次点灯させるスキャン型の光源装置が考案されている。スキャン型の光源装置としては、冷陰極管等を用いた直下型が主流になっている。しかし、直下型の光源装置は、冷陰極管等の配置による輝度むら等が生じ、表示領域全体を均一な輝度にすることが困難である。この問題を解決するために、複数のＬＥＤが導光板の側端面にそれぞれ配置された複数の発光領域を液晶表示装置の走査方向に並列して配置したサイドライト型の光源装置が用いられている。
【０００８】
【特許文献１】
特開２０００−３６０９号公報
【非特許文献１】
Ｊ．Ｈｉｒａｋａｔａ　ｅｔ．ａｌ．：”Ｈｉｇｈ　Ｑｕａｌｉｔｙ　ＴＦＴ−ＬＣＤ　Ｓｙｓｔｅｍ　ｆｏｒ　Ｍｏｖｉｎｇ　Ｐｉｃｔｕｒｅ”，ＳＩＤ　２００２　Ｄｉｇｅｓｔ，ｐ．１２８４−１２８７（２００２）
【非特許文献２】
Ｄ．Ｓａｓａｋｉ　ｅｔ．ａｌ．：”Ｍｏｔｉｏｎ　Ｐｉｃｔｕｒｅ　Ｓｉｍｕｌａｔｉｏｎ　ｆｏｒ　Ｄｅｓｉｇｎｉｎｇ　Ｈｉｇｈ−Ｐｉｃｔｕｒｅ−Ｑｕａｌｉｔｙ　Ｈｏｌｄ−Ｔｙｐｅ　Ｄｉｓｐｌａｙｓ”，ＳＩＤ　２００２　Ｄｉｇｅｓｔ，ｐ．９２６−９２９（２００２）
【非特許文献３】
Ｋ．Ｓｅｋｉｙａ　ｅｔ．ａｌ．：”Ｅｙｅ−Ｔｒａｃｅ　Ｉｎｔｅｇｒａｔｉｏｎ　Ｅｆｆｅｃｔ　ｏｎ　Ｔｈｅ　Ｐｅｒｃｅｐｔｉｏｎ　ｏｆ　Ｍｏｖｉｎｇ　Ｐｉｃｔｕｒｅｓ　ａｎｄ　Ａ　Ｎｅｗ　Ｐｏｓｓｉｂｉｌｉｔｙ　ｆｏｒＲｅｄｕｃｉｎｇ　Ｂｌｕｒ　ｏｎ　Ｈｏｌｄ−Ｔｙｐｅ　Ｄｉｓｐｌａｙｓ”，ＳＩＤ　２００２　Ｄｉｇｅｓｔ，ｐ．９３０−９３３（２００２）
【非特許文献４】
Ｈ．Ｏｈｔｓｕｋｉ　ｅｔ．ａｌ．：”１８．１−ｉｎｃｈ　ＸＧＡ　ＴＦＴ−ＬＣＤ　ｗｉｔｈ　Ｗｉｄｅ　Ｃｏｌｏｒ　Ｒｅｐｒｏｄｕｃｔｉｏｎ　ｕｓｉｎｇ　Ｈｉｇｈ　Ｐｏｗｅｒ　ＬＥＤ−Ｂａｃｋｌｉｇｈｔｉｎｇ”，ＳＩＤ　２００２　Ｄｉｇｅｓｔ，ｐ．１１５４−１１５７（２００２）
【非特許文献５】
Ｇｅｒａｌｄ　Ｈａｒｂｅｒｓ、外２名、”ＬＥＤ　Ｂａｃｋｌｉｇｈｔｉｎｇｆｏｒ　ＬＣＤ−ＨＤＴＶ、［ｏｎｌｉｎｅ］、インターネット＜ＵＲＬ：ｈｔｔｐ：／／ｗｗｗ．ｌｕｍｉｌｅｄｓ．ｃｏｍ／ｐｄｆｓ／ｔｅｃｈｐａｐｅｒｓｐｒｅｓ／ＩＤＭＣ＿Ｐａｐｅｒ．ｐｄｆ＞
【非特許文献６】
栗田泰市郎、「ホールド型ディスプレイの表示方式と動画表示における画質」、第一回ＬＣＤフォーラム予稿
【０００９】
【発明が解決しようとする課題】
しかしながら上記の光混合領域を備えた光源装置は、表示に必要な面光源装置の最小面積より、はるかに大きい面積の光混合領域が必要になるため、光源装置が大型化してしまうという問題を有している。光混合領域を導光板の裏面側に配置する構成であっても、光源装置の厚さが厚くなって大型化してしまうという問題が生じる。
【００１０】
一方、光混合領域を有さず、導光板の側端面に複数のＬＥＤが配置されたスキャン型の光源装置では、並列して配置されたＬＥＤが離散的な光源列であるため、隣り合うＬＥＤ間の領域の輝度が他の領域より低くなってしまう。このため、表示画面上に輝度むらが発生して表示品質が低下してしまうという問題が生じる。
【００１１】
本発明の目的は、小型かつ薄型で良好な表示品質の得られる光源装置及びそれを備えた表示装置を提供することにある。
【００１２】
【課題を解決するための手段】
上記目的は、光を射出する第１及び第２の光源と、前記第１の光源近傍以外の領域に配置され、前記第１の光源側から導光する光を外部に採り出す第１の採光要素を有する第１の発光領域と、前記第２の光源近傍以外の領域に配置され、前記第２の光源側から導光する光を外部に採り出す第２の採光要素を有する第２の発光領域とを備えた面状導光板とを有することを特徴とする光源装置によって達成される。
【００１３】
【発明の実施の形態】
〔第１の実施の形態〕
本発明の第１の実施の形態による光源装置及びそれを備えた表示装置について図１乃至図１５を用いて説明する。まず、本実施の形態による光源装置及びそれを備えた表示装置の基本構成について図１及び図２を用いて説明する。図１は、本基本構成による液晶表示装置の概略構成を示している。図１に示すように、例えばＴＮ（Ｔｗｉｓｔｅｄ　Ｎｅｍａｔｉｃ）モードの液晶表示装置は、薄膜トランジスタ（ＴＦＴ；Ｔｈｉｎ　Ｆｉｌｍ　Ｔｒａｎｓｉｓｔｏｒ）や画素電極等が形成されたＴＦＴ基板２と、カラーフィルタや共通電極等が形成された対向基板４とが対向して貼り合わされ、両基板２、４間に液晶（図示せず）が封止された液晶表示パネル３０を有している。
【００１４】
ＴＦＴ基板２には、複数のゲートバスラインを駆動するドライバＩＣが実装されたゲートバスライン駆動回路８０と、複数のドレインバスラインを駆動するドライバＩＣが実装されたドレインバスライン駆動回路８２とが設けられている。これらの駆動回路８０、８２は、制御回路８４から出力された所定の信号に基づいて、走査信号やデータ信号を所定のゲートバスライン１２あるいはドレインバスライン１４に出力するようになっている。ＴＦＴ基板２の素子形成面と反対側の面には、偏光板８７が貼り付けられている。偏光板８７のＴＦＴ基板２と反対側の面には、光源装置４０であるバックライトユニットが配置されている。一方、対向基板４のカラーフィルタ形成面と反対側の面には、偏光板８６が貼り付けられている。
【００１５】
図２（ａ）は、本基本構成による光源装置の構成を示している。図２（ｂ）は図２（ａ）のＡ−Ａ線で切断した光源装置の断面構成を示している。図２（ａ）、（ｂ）に示すように、バックライトユニットやフロントライトユニットとして用いられる光源装置４０は、略板状の導光板（面状導光板）４２を備えている。導光板４２は、例えば長方形状の平面形状を有している。導光板４２の表側の表面（図２（ｂ）の上側）は、光射出面９０になっている。導光板４２の一側端面（図２（ａ）、（ｂ）では左側端面）には、離散的光源列ＬＡを構成する例えば複数の点状光源４４ａが所定の間隙を介して並列して配置されている。また、離散的光源列ＬＡに対向して、導光板４２の他端面（図２（ａ）、（ｂ）では右側端面）には、離散的光源列ＬＢを構成する例えば複数の点状光源４４ｂが所定の間隙を介して並列して配置されている。導光板４２は、点状光源４４ａ近傍の領域Ｂと、点状光源４４ｂ近傍の領域Ａと、領域Ａ、Ｂ間の領域Ｃとを有している。
【００１６】
各点状光源４４ａから導光板４２内の領域Ｂに入射した直後の光は、離散的光源列ＬＡの離散性の履歴を極めて強く有し、導光量の分布にむらが生じている。領域Ｂでは、離散的光源列ＬＡからの距離が遠い位置ほど、隣り合う点状光源４４ａからの光や、さらに隣の点状光源４４ａ等からの光が混ざり合い、導光量の分布が均一になっている。同様に、各点状光源４４ｂから導光板４２内の領域Ａに入射した直後の光は、離散的光源列ＬＢの離散性の履歴を極めて強く有し、導光量の分布にむらが生じている。領域Ａでは、離散的光源列ＬＢからの距離が遠い位置ほど、隣り合う点状光源４４ｂからの光や、さらに隣の点状光源４４ｂからの光等が混ざり合い、導光量の分布が均一になっている。領域Ｃでは、離散的光源列ＬＡからの光の導光量は均一に分布している。また領域Ｃでは、離散的光源列ＬＢからの光の導光量は均一に分布している。
【００１７】
図２（ａ）、（ｂ）には図示していないが、導光板４２は、光射出面９０に対向する対向面９２に、入射した光を光射出面９０から射出させるための採光要素を有している。採光要素は、表示画面側に採り出される採光量が面内で均一になるように配置されている。すなわち、導光板４２の離散的光源列ＬＡに距離が近い領域Ｂには、主として離散的光源列ＬＢ側から導光する光を導光板４２の外に採り出すための採光要素が設けられている。それとともに、領域Ｂは離散的光源列ＬＡ側から導光する光を混合するために用いられる。離散的光源列ＬＢ側から導光する光には、点状光源４４ｂからの直接の射出光だけでなく、点状光源４４ａから射出して点状光源４４ｂ側の導光板４２の側端面で反射した反射光等も含まれる。また、離散的光源列ＬＡ側から導光する光には、点状光源４４ａからの直接の射出光だけでなく、点状光源４４ｂから射出して点状光源４４ａ側の導光板４２の側端面で反射した反射光等も含まれる。
【００１８】
同様に、導光板４２の離散的光源列ＬＢに距離が近い領域Ａには、主として離散的光源列ＬＡ側から導光する光を導光板４２の外に採り出すための採光要素が設けられている。それとともに、領域Ａは離散的光源列ＬＢ側から導光する光を混合するために用いられる。導光板４２の中央付近の領域Ｃには、離散的光源列ＬＡ側から導光する光と離散的光源列ＬＢ側から導光してくる光の双方を導光板４２の外に採り出すための採光要素が設けられている。
【００１９】
ここで、離散的光源列ＬＡの点状光源４４ａからの光と、離散的光源列ＬＢの点状光源４４ｂからの光とは、互いに色が異なることが多い。このため、両離散的光源列ＬＡ、ＬＢ側からの光の混合比率が空間的に急に変化すると、帯状の色むらが視認されることがある。これを避けるため、領域Ｂ、Ｃ間及び領域Ａ、Ｃ間の境界は、明確でなく緩やかに分布している方がよい。
【００２０】
採光要素としては、導光板４２の対向面９２に印刷や成形等により形成された光散乱構造体等の光散乱要素や、導光板４２の対向面に形成されたプリズム形状、導光板４２の内部に形成した光散乱要素等が用いられる。また、この他にも光の導光方向を変化させる光学要素は、全て採光要素として用いることができる。
【００２１】
本基本構成では、離散的光源列ＬＡと離散的光源列ＬＡ側からの光が採光される領域Ａ、Ｃ（第１の発光領域）との間の距離が比較的遠く離れ、離散的光源列ＬＢと離散的光源列ＬＢ側からの光が採光される領域Ｂ、Ｃ（第２の発光領域）との間の距離が比較的遠く離れている。したがって、十分に混合されて導光量の分布が均一化された光が光射出面９０から射出するため、輝度むらや色むらのない良好な表示品質の得られる光源装置を実現できる。また、本基本構成では、点状光源４４ａが導光板４２の領域Ｂに近接して配置され、点状光源４４ｂが導光板４２の領域Ａに近接して配置されている。このため、小型で薄型の光源装置を実現できる。
【００２２】
以下、本実施の形態による光源装置及びそれを備えた表示装置について、実施例１−１乃至１−９を用いて具体的に説明する。
【００２３】
（実施例１−１）
まず、本実施の形態による実施例１−１による光源装置について図３及び図４を用いて説明する。図３は、本実施例による光源装置の断面構成を示している。図３に示すように、光源装置であるバックライトユニット４１は、導光板４２を有している。導光板４２の対向面９２は、プリズム形状に形成されている。プリズム形状は、光を採り出す採光要素として機能する。本実施例では、採光要素を全てプリズム形状としている。導光板４２の一側端面（図３では左側端面）には、離散的光源列であるＬＥＤアレイＬＡ’を構成する複数のＬＥＤ４５ａが並列して配置されている。また、ＬＥＤアレイＬＡ’に対向して、導光板４２の他側端面（図３では右側端面）には、離散的光源列であるＬＥＤアレイＬＢ’を構成する複数のＬＥＤ４５ｂが並列して配置されている。導光板４２は、ＬＥＤ４５ａ近傍の領域Ｂと、ＬＥＤ４５ｂ近傍の領域Ａと、領域Ａ、Ｂ間の領域Ｃとを有している。
【００２４】
図４（ａ）〜（ｅ）は、対向面近傍の導光板の断面形状を領域毎に示している。図４（ａ）は領域Ｂでの対向面９２近傍の導光板４２の断面形状を示し、図４（ｂ）は領域Ｂ寄りの領域Ｃでの対向面９２近傍の導光板４２の断面形状を示している。図４（ｃ）は領域Ｃのほぼ中央部での対向面９２近傍の導光板４２の断面形状を示し、図４（ｄ）は領域Ａ寄りの領域Ｃでの対向面９２近傍の導光板４２の断面形状を示している。図４（ｅ）は領域Ａでの対向面９２近傍の導光板４２の断面形状を示している。図４（ａ）〜（ｅ）に示すように、導光板４２の対向面９２は、ＬＥＤアレイＬＡ’及びＬＢ’からの距離に応じて、大別して５種類のプリズム形状に形成されている。
【００２５】
図４（ａ）に示すように、領域Ｂの対向面９２は、ＬＥＤアレイＬＡ’側からの光がプリズム面５０に入射せず、そのまま領域Ｃに導光するプリズム形状になっている。プリズム面５０は、光射出面９０に対して例えば４０°〜４５°の傾斜角で形成されている。一方、ＬＥＤアレイＬＢ’側からの光は、ある確率でプリズム面５０に入射する。プリズム面５０に入射した光は、全反射条件が崩れて反射又は屈折により導光板４２の外に射出する。したがって、領域Ｂでは、基本的にＬＥＤアレイＬＢ’側から導光する光が採り出される。ＬＥＤアレイＬＢ’側から導光する光には、ＬＥＤ４５ｂからの直接の射出光だけでなく、ＬＥＤ４５ａから射出してＬＥＤ４５ｂ側の導光板４２の側端面で反射した反射光等も含まれる。
【００２６】
図４（ｂ）〜（ｄ）に示すように、領域Ｃでは、ＬＥＤアレイＬＡ’側から導光する光が、ある確率でプリズム面５０に入射して反射又は屈折により導光板４２の外に射出する。ＬＥＤアレイＬＡ’側から導光する光には、ＬＥＤ４５ａからの直接の射出光だけでなく、ＬＥＤ４５ｂから射出してＬＥＤ４５ａ側の導光板４２の側端面で反射した反射光等も含まれる。また領域Ｃでは、ＬＥＤアレイＬＢ’側から導光する光が、ある確率でプリズム面５１に入射して反射又は屈折により導光板４２の外に射出する。プリズム面５１は、光射出面９０に対して例えば４０°〜４５°の傾斜角で形成されている。図４（ｂ）に示すように、領域Ｂ寄りの領域Ｃでは、ＬＥＤアレイＬＡ’側からの導光量が多く、また領域Ｂとの境界を視認され難くするために、ＬＥＤアレイＬＡ’側からの光が入射するプリズム面５１の面積がＬＥＤアレイＬＢ’側からの光が入射するプリズム面５０の面積よりも小さくなっている。
【００２７】
図４（ｃ）に示すように、領域Ｃのほぼ中央部では、ＬＥＤアレイＬＡ’側からの導光量とＬＥＤアレイＬＢ’側からの導光量がほぼ等しいため、プリズム面５０、５１の面積が互いにほぼ等しく、ほぼ左右対称なプリズム形状になっている。図４（ｄ）に示すように、領域Ａ寄りの領域Ｃでは、ＬＥＤアレイＬＢ’側からの導光量が多く、また領域Ａとの境界を視認され難くするために、ＬＥＤアレイＬＢ’側からの光が入射するプリズム面５０の面積がＬＥＤアレイＬＡ’側からの光が入射するプリズム面５１の面積よりも小さくなっている。
【００２８】
図４（ｅ）に示すように、領域Ａの対向面９２は、ＬＥＤアレイＬＢ’側からの光がプリズム面５１に入射せず、そのまま領域Ｃに導光するプリズム形状になっている。一方、ＬＥＤアレイＬＡ’側からの光は、ある確率でプリズム面５１に入射する。プリズム面５１に入射した光は、全反射条件が崩れて反射又は屈折により導光板４２の外に射出する。したがって、領域Ａでは、基本的にＬＥＤアレイＬＡ’側から導光する光が採り出される。以上のように、導光板４２はほぼ左右対称の断面形状を有している。
【００２９】
本実施例では、ＬＥＤアレイＬＡ’とＬＥＤアレイＬＡ’側からの光が採光される領域Ａ、Ｃ（第１の発光領域）との間の距離が比較的遠く離れ、ＬＥＤアレイＬＢ’とＬＥＤアレイＬＢ’側からの光が採光される領域Ｂ、Ｃ（第２の発光領域）との間の距離が比較的遠く離れている。したがって、十分に混合されて導光量の分布が均一化された光が光射出面９０から射出するため、輝度むらや色むらのない良好な表示品質の得られる光源装置を実現できる。また、本実施例では、ＬＥＤ４５ａが導光板４２の領域Ｂに近接して配置され、ＬＥＤ４５ｂが導光板４２の領域Ａに近接して配置されている。このため、小型かつ薄型の光源装置を実現できる。
【００３０】
（実施例１−２）
次に、本実施の形態による実施例１−２による光源装置について図５を用いて説明する。図５は、本実施例による光源装置の断面構成を示している。図５に示すように、バックライトユニット４１は、導光板４２を有している。導光板４２は、例えば３８５ｍｍ×２５０ｍｍの長方形状の採光領域を有している。導光板４２の厚さは、側端面（図５では左右両側の端面）近傍で約７ｍｍであり、中央部近傍で約９ｍｍである。ＬＥＤアレイＬＡ’、ＬＢ’は、導光板４２の対向する長辺に近接して配置されている。すなわち、図５の左右方向は、例えば左右方向に長い表示画面上では上下方向になる。ＬＥＤアレイＬＡ’、ＬＢ’は、例えば間隔１７．５ｍｍで配列した各々２２個のハイパワーＬＥＤ４５ａ、４５ｂにより構成されている。
【００３１】
また、ＬＥＤアレイＬＡ’、ＬＢ’が配置された側端面の導光板４２の内部又は外部には、光を反射させる光反射要素としてミラー６０が形成されている。ＬＥＤアレイＬＡ’（ＬＢ’）から射出した光のうち約３０％は、対向するＬＥＤアレイＬＢ’（ＬＡ’）側の側端面に到達する。到達した光の約半分（ＬＥＤアレイＬＡ’（ＬＢ’）から射出した光の約１５％）は、ミラー６０により反射して有効光化される。これにより、一方のＬＥＤアレイＬＡ’（ＬＢ’）から射出した光と、他方のＬＥＤアレイＬＢ’（ＬＡ’）側から導光して反射した光とが混合されるため、両ＬＥＤアレイＬＡ’、ＬＢ’間のスペクトルむらに起因する色むらが緩和される。
【００３２】
図中破線で示す矢印は、ＬＥＤ４５ａから射出して導光板４２内を導光する光の一例である光線ａ１を示している。光線ａ１は、導光板４２に入射して光射出面９０で全反射した後、領域Ｂ寄りの領域Ｃの対向面９２ではプリズム面５０、５１には入射せずに全反射する。その後、再び光射出面９０で全反射した後、領域Ａ寄りの領域Ｃの対向面９２でプリズム面５１に入射して反射する。プリズム面５１で反射した光線ａ１は、光射出面９０で全反射条件が崩れて外部に射出する。
【００３３】
また、光射出面９０外側の図中実線で示す矢印は、光の射出方向及び強度を表している。このように、領域ＢではＬＥＤアレイＬＢ’側からの光が射出し、領域ＡではＬＥＤアレイＬＡ’側からの光が射出している。領域ＣではＬＥＤアレイＬＡ’側からの光とＬＥＤアレイＬＢ’側からの光とが共に射出しているが、領域Ａ寄りではＬＥＤアレイＬＡ’側からの光が強く射出し、領域Ｂ寄りではＬＥＤアレイＬＢ’側からの光が強く射出している。ＬＥＤアレイＬＡ’側からの光の強度とＬＥＤアレイＬＢ’側からの光の強度との総和は、全ての領域でほぼ同一になっている。
【００３４】
本実施例の構成で、領域Ａ、Ｂの幅をそれぞれ約４０ｍｍとし、領域Ｃの幅を約１７０ｍｍとしたところ、輝度むら及び色むらは視認されなかった。ＬＥＤ４５ａ、４５ｂの発光量は１個あたり１５ｌｍ（ルーメン）であり、バックライトユニット４１を透過型の液晶表示装置に搭載したところ、表示画面の白輝度は４００ｃｄ（カンデラ）であった。本実施例によれば、実施例１−１と同様に、小型かつ薄型で、輝度むら及び色むらのない良好な表示品質の得られる光源装置が実現できる。
【００３５】
（実施例１−３）
次に、本実施の形態の実施例１−３による光源装置について図６を用いて説明する。図６は、本実施例による光源装置の断面構成を示している。図６に示すように、本実施例によるバックライトユニット４１は、実施例１−２によるバックライトユニット４１と比較すると、ＬＥＤアレイＬＡ’側からの光を採光する領域と、ＬＥＤアレイＬＢ’側からの光を採光する領域とが分離されている点に特徴を有している。このため採光領域は、両ＬＥＤアレイＬＡ’、ＬＢ’双方からの光を採光する領域Ｃを有さず、領域Ａ、Ｂのみを有している。また、本実施例によるバックライトユニット４１は、ＬＥＤアレイＬＡ’と領域Ａとの距離がさらに遠くなり、同様にＬＥＤアレイＬＢ’と領域Ｂとの距離がさらに遠くなっている点に特徴を有している。
【００３６】
図中破線で示す矢印は、ＬＥＤ４５ａから射出して導光板４２内を導光する光の一例である光線ａ２を示している。光線ａ２は、導光板４２に入射して光射出面９０で全反射した後、領域Ａの対向面９２でプリズム面５１に入射して反射する。プリズム面５１で反射した光線ａ２は、光射出面９０で全反射条件が崩れて外部に射出する。
【００３７】
導光板４２は、例えば３８５ｍｍ×２５０ｍｍの長方形状の採光領域を有している。導光板４２の厚さは、側端面近傍で約７ｍｍであり、中央部近傍で約１７ｍｍである。導光板４２の対向面９２の基準面Ｄは、ＬＥＤアレイＬＢ’からの距離をｘとすると、例えば（１／ｘ）だけ図の下方に変位するようになっている。ＬＥＤアレイＬＡ’、ＬＢ’は、導光板４２の対向する長辺に近接して配置されている。すなわち、図６の左右方向は、例えば左右方向に長い表示画面上では上下方向になる。ＬＥＤアレイＬＡ’、ＬＢ’は、例えば間隔１７．５ｍｍで配列した各々２２個のハイパワーＬＥＤ４５ａ、４５ｂにより構成されている。
【００３８】
ＬＥＤアレイＬＡ’（ＬＢ’）から射出した光のうち約４０％は、対向するＬＥＤアレイＬＢ’（ＬＡ’）側の側端面に到達する。到達した光の約半分（ＬＥＤアレイＬＡ’（ＬＢ’）から射出した光の約２０％）は、ミラー６０により反射されて有効光化される。その結果、領域Ｃが設けられていないにもかかわらず、ＬＥＤアレイＬＡ’からの光とＬＥＤアレイＬＢ’からの光とは、採光領域全面で概ねよく混合されている。本実施例では、導光板４２の側端面の一方に配置された２２個のＬＥＤ４５ａ（ＬＥＤ４５ｂ）のうち、約５個が不点灯となっても、輝度むらや色むらは視認されなかった。
【００３９】
本実施例によれば、実施例１−２による光源装置よりも導光板４２の厚さが厚くなるものの、光の混合性は極めてよく、良好な表示品質の得られる光源装置が実現できる。
【００４０】
（実施例１−４）
次に、本実施の形態の実施例１−４による光源装置について図７を用いて説明する。図７は、本実施例による光源装置の断面構成を示している。図７に示すように、本実施例によるバックライトユニット４１は、円筒状に湾曲した対向面９２を備えた導光板４２を有している。導光板４２のＬＥＤアレイＬＡ’側は、側端部での厚さが薄く、中央部での厚さが厚い形状（本明細書中ではくさび形状ともいう）に形成されている。同様に導光板４２のＬＥＤアレイＬＢ’側は、側端部での厚さが薄く、中央部での厚さが厚い形状に形成されている。また、湾曲した対向面９２には、微細な凹凸が重畳して形成されている。凹凸は例えば１ｍｍ以下の間隔で配置され、対向面９２に対する最大傾斜角度が数度以下で緩やかにうねる微細な構造である。導光板４２は例えばアクリル製である。
【００４１】
領域Ｂ及び領域Ｂ寄りの領域Ｃでは、ＬＥＤ４５ａから射出して導光板４２に入射した直後に４２°であった光の分散角度は、微細な凹凸による散乱反射の効果と、導光板４２の厚さが徐々に厚くなるくさび形状の集光効果とが相殺されるためさほど大きくならない。したがって、ＬＥＤ４５ａからの光は、領域Ｂでは導光板４２の外部にほとんど採り出されない。ＬＥＤ４５ｂ側から導光する光に対しては、領域Ｂ及び領域Ｂ寄りの領域Ｃにおいて、微細な凹凸と導光板４２の厚さが徐々に薄くなるくさび形状とが共に光を散乱させる効果を示す。このため、ＬＥＤアレイＬＡ’に距離が近い領域ほど光が採り出される効率が高くなる。その結果として、領域Ｂ及び領域Ｂ寄りの領域ＣではＬＥＤアレイＬＡ’側から導光して採り出される光の強度と、ＬＥＤアレイＬＢ’側から導光して採り出される光の強度との和がほぼ均一になっている。
【００４２】
一方、領域Ａ及び領域Ａ寄りの領域Ｃでは、ＬＥＤ４５ｂから射出して導光板４２に入射した直後に４２°であった光の分散角度は、微細な凹凸による散乱反射の効果と、導光板４２の厚さが徐々に厚くなるくさび形状による集光効果とが相殺されるためさほど大きくならない。したがって、ＬＥＤ４５ｂからの光は、領域Ａでは導光板４２の外部にほとんど採り出されない。ＬＥＤ４５ａ側から導光する光に対しては、領域Ａ及び領域Ａ寄りの領域Ｃにおいて、微細な凹凸と導光板４２の厚さが徐々に薄くなるくさび形状とが共に光を散乱させる効果を示す。このため、ＬＥＤアレイＬＢ’に距離が近い領域ほど光が採り出される効率が高くなる。その結果として、領域Ａ及び領域Ａ寄りの領域ＣではＬＥＤアレイＬＡ’側から導光して採り出される光の強度と、ＬＥＤアレイＬＢ’側から導光して採り出される光の強度との和がほぼ均一になっている。
【００４３】
図中破線で示す矢印は、ＬＥＤ４５ａから射出して導光板４２内を導光する光の一例である光線ａ３を示している。光線ａ３は、導光板４２に入射して領域Ｂの対向面９２で全反射した後、光射出面９０で全反射する。その後、光線ａ３は領域Ａの対向面９２で反射する。領域Ａの対向面９２で反射した光線ａ３は、導光板４２の厚さが徐々に薄くなるくさび形状等により、光射出面９０に対する入射角が小さくなる。このため、全反射条件が崩れて光射出面９０から外部に射出する。
【００４４】
本実施例によれば、実施例１−１と同様に、小型かつ薄型で、輝度むら及び色むらのない良好な表示品質の得られる光源装置が実現できる。
【００４５】
（実施例１−５）
次に、本実施の形態の実施例１−５による光源装置について図８を用いて説明する。図８は、本実施例による光源装置の断面構成を示している。図８に示すように、本実施例によるバックライトユニット４１は、実施例１−４によるバックライトユニット４１と同様に、円筒状に湾曲した対向面９２を備えた導光板４２を有している。対向面９２には、実施例１−４の微細な凹凸に代えて、光散乱要素である散乱層６２が例えばスクリーン印刷により形成されている。
【００４６】
本実施の形態によれば、実施例１−１と同様に、小型かつ薄型で、輝度むら及び色むらのない良好な表示品質の得られる光源装置が実現できる。また、本実施例によるバックライトユニット４１は、実施例１−４に比べて微細化が困難なため、導光板４２の表示画面側に必ず散乱シートを配置しなければならない欠点を有しているものの、光の混合性は極めてよい。さらに、本実施例によるバックライトユニット４１は、対向面９２の微細な凹凸の形成が不要なため導光板４２を成型する金型の寿命が長く、印刷精度も低くてよいため製造性が極めてよい。
【００４７】
（実施例１−６）
次に、本実施の形態の実施例１−６による光源装置について図９乃至図１２を用いて説明する。図９は、本実施例による光源装置の断面構成を示している。図９に示すように、本実施例によるバックライトユニット４１は、積層して配置された２枚の導光板４２ａ、４２ｂを有している。一方の導光板４２ａの一側端面（図９では左側端面）には、ＬＥＤアレイＬＡ’を構成する複数のＬＥＤ４５ａが並列して配置されている。導光板４２ａの対向面９２には、光散乱要素である散乱層６２が例えばスクリーン印刷により形成されている。導光板４２ａの散乱層６２は、ＬＥＤアレイＬＡ’近傍の領域Ｂには形成されておらず、領域Ａ、Ｃに形成されている。散乱層６２は、例えばビーズ等が混入された樹脂からなり、所定の面積階調で形成されている。導光板４２ａは、ＬＥＤ４５ａからの光を領域Ａ、Ｃに導光する導光領域を有している。
【００４８】
他方の導光板４２ｂの一側端面（図９では右側端面）には、ＬＥＤアレイＬＢ’を構成する複数のＬＥＤ４５ｂが並列して配置されている。導光板４２ｂの対向面９２には、光散乱要素である散乱層６２が例えばスクリーン印刷により形成されている。導光板４２ｂの散乱層６２は、ＬＥＤアレイＬＢ’近傍の領域Ａには形成されておらず、領域Ｂ、Ｃに形成されている。導光板４２ｂは、ＬＥＤ４５ｂからの光を領域Ｂ、Ｃに導光する導光領域を有している。両導光板４２ａ、４２ｂは、積層されたときに表示領域全体の輝度が均一になるように製造されている。
【００４９】
図１０は、本実施例の導光板の散乱強度及び光量の分布を示すグラフである。横軸はＬＥＤアレイＬＡ’からの距離（位置）を表し、縦軸は散乱層６２の散乱強度と光量とを表している。散乱強度は、散乱層６２のビーズ等の濃度と面積階調との積で表される。グラフ中の実線Ｄは導光板４２ｂの散乱層６２の散乱強度を示し、実線Ｅは導光板４２ａの散乱層６２の散乱強度を示している。破線Ｉ、Ｆは導光板４２ａから射出する光量を示し、破線Ｇ、Ｊは導光板４２ｂから射出する光量を示している。また、破線Ｉ、Ｈ、Ｊは、導光板４２ａから射出する光量と、導光板４２ｂから射出する光量との和を示している。
【００５０】
図１０に示すように、実線Ｅに示すような散乱強度の分布で導光板４２ａの散乱層６２を形成することによって、導光板４２ａから射出する光量は領域Ｂ内では一定になる。領域Ｃでは、導光板４２ａから射出する光量は、領域Ｂ、Ｃの境界からの距離に比例して減少し、領域Ａ、Ｃの境界で０になる。また、実線Ｄに示すような散乱強度の分布で導光板４２ｂの散乱層６２を形成することによって、導光板４２ｂから射出する光量は領域Ａ内では一定になる。領域Ｃでは、導光板４２ｂから射出する光量は、領域Ａ、Ｃの境界からの距離に比例して減少し、領域Ｂ、Ｃの境界で０になる。このように導光板４２ａ、４２ｂから射出する光量を分布させることにより、導光板４２ａから射出する光量と導光板４２ｂから射出する光量との和は、破線Ｉ、Ｈ、Ｊに示すように面内でほぼ一定になる。
【００５１】
本実施例では、採光要素として散乱層６２を用いているが、導光板４２ａ、４２ｂのプリズム形状を用いてもよいし、プリズム形状と散乱層６２とを併用してもよい。本実施例によれば、導光板４２ａ、４２ｂを積層するためにバックライトユニットの厚さが厚くなるものの、実施例１−１と同様に、輝度むら及び色むらのない良好な表示品質の得られる光源装置が実現できる。
【００５２】
図１１は、本実施例による光源装置の構成の変形例を示している。図１１に示すように、導光板４２ａのＬＥＤアレイＬＡ’に対向する側端面には、光反射要素としてミラー６０が形成されている。また、導光板４２ｂのＬＥＤアレイＬＢ’に対向する側端面には、光反射要素としてミラー６０が形成されている。
【００５３】
図１２は、本変形例の導光板の散乱強度及び光量の分布を示すグラフである。横軸はＬＥＤアレイＬＡ’からの距離（位置）を表し、縦軸は散乱層６２の散乱強度と光量とを表している。グラフ中の実線Ｄは導光板４２ｂの散乱層６２の散乱強度を示し、実線Ｅは導光板４２ａの散乱層６２の散乱強度を示している。破線Ｉ、Ｆは導光板４２ａから射出する光量を示し、破線Ｇ、Ｊは導光板４２ｂから射出する光量を示している。破線Ｉ、Ｈ、Ｊは、導光板４２ａから射出する光量と、導光板４２ｂから射出する光量との和を示している。
【００５４】
図１２に示すように、実線Ｅに示すような散乱強度の分布で導光板４２ａの散乱層６２を形成することによって、導光板４２ａから射出する光量は領域Ｂ内では一定になる。領域Ｃでは、導光板４２ａから射出する光量は、領域Ｂ、Ｃの境界からの距離に比例して減少し、領域Ａ、Ｃの境界で０になる。また、実線Ｄに示すような散乱強度の分布で導光板４２ｂの散乱層６２を形成することによって、導光板４２ｂから射出する光量は領域Ａ内では一定になる。領域Ｃでは、導光板４２ｂから射出する光量は、領域Ａ、Ｃの境界からの距離に比例して減少し、領域Ｂ、Ｃの境界で０になる。このように導光板４２ａ、４２ｂから射出する光量を分布させることにより、導光板４２ａから射出する光量と導光板４２ｂから射出する光量との和は、面内でほぼ一定になる。本変形例では、ＬＥＤアレイＬＡ’、ＬＢ’に対向する側端面に到達した光をミラー６０で反射して有効光化できるため、ＬＥＤアレイＬＡ’、ＬＢ’からの距離が離れた領域で射出する光の強度が比較的高くなる。したがって、図１０に示すグラフの実線Ｄ、Ｅに比較すると、領域Ｃ内での散乱強度を高くすることができ、より輝度の高い表示が得られる。
【００５５】
（実施例１−７）
次に、本実施の形態の実施例１−７による表示装置について図１３を用いて説明する。図１３は、本実施例による表示装置の断面構成を示している。図１３に示すように、本実施例では、図９に示す実施例１−６によるバックライトユニット４１と、透過型の液晶表示パネル３０とを組み合わせている。液晶表示パネル３０とバックライトユニット４１との間には、配光特性を向上させる複数の配光シートからなる配光シート群７２が配置されている。また、導光板４２ｂの対向面９２側には、光を散乱させて反射させる反射散乱シート７０が配置されている。本実施例によれば、小型かつ薄型で、輝度むら及び色むらのない良好な表示品質の得られる表示装置が実現できる。
【００５６】
（実施例１−８）
次に、本実施の形態の実施例１−８による表示装置について図１４を用いて説明する。図１４は、本実施例による表示装置の断面構成を示している。図１４に示すように、本実施例では、図６に示す実施例１−３によるバックライトユニット４１とほぼ同様の構成のフロントライトユニット４１’と、反射型の液晶表示パネル３０’とを組み合わせている。本実施例によれば、小型かつ薄型で、輝度むら及び色むらのない良好な表示品質の得られる表示装置が実現できる。
【００５７】
（実施例１−９）
次に、本実施の形態の実施例１−９による光源装置について図１５を用いて説明する。図１５（ａ）は、本実施例による光源装置の構成を示している。図１５（ｂ）は図１５（ａ）のＢ−Ｂ線で切断した光源装置の断面構成を示している。図１５（ａ）、（ｂ）に示すように、本実施例では、バックライトユニット４１が、光学的に独立した４つの導光板４２ａ〜４２ｄを有している。導光板４２ａ〜４２ｄは、それぞれの採光領域が表示領域全体を上下方向にほぼ４等分するように配置されている。各導光板４２ａ〜４２ｄの一側端面（図１５（ａ）、（ｂ）では左側端面）には、ＬＥＤアレイＬＡ’を構成する例えば複数のＬＥＤ４５ａが並列してそれぞれ配置されている。また、ＬＥＤアレイＬＡ’に対向して、各導光板４２ａ〜４２ｄの他側端面（図１５（ａ）、（ｂ）では右側端面）には、ＬＥＤアレイＬＢ’を構成する例えば複数のＬＥＤ４５ｂが並列してそれぞれ配置されている。各導光板４２ａ〜４２ｄは、ＬＥＤ４５ａ近傍の領域Ｂと、ＬＥＤ４５ｂ近傍の領域Ａと、領域Ａ、Ｂ間の領域Ｃとを有している。本実施例によれば、実施例１−１と同様に、小型かつ薄型で、輝度むら及び色むらのない良好な表示品質の得られる光源装置が実現できる。
【００５８】
以上説明したように、本実施の形態によれば、小型かつ薄型で良好な表示品質の得られる光源装置及びそれを備えた表示装置を実現できる。
【００５９】
〔第２の実施の形態〕
次に、本発明の第２の実施の形態による光源装置及びそれを備えた表示装置について実施例２−１乃至２−４を用いて具体的に説明する。
【００６０】
（実施例２−１）
まず、本実施の形態の実施例２−１による光源装置について図１６を用いて説明する。図１６は、本実施例による光源装置の断面構成を示している。図１６に示すように、バックライトユニット４１は、導光板４２を有している。導光板４２の一側端面（図１６では左側端面）には、離散的光源列であるＬＥＤアレイＬＡ’を構成する複数のＬＥＤ４５ａ（図１６では１つのみ示している）が並列して配置されている。また、ＬＥＤアレイＬＡ’に対向して、導光板４２の他側端面（図１６では右即端面）には、離散的光源列であるＬＥＤアレイＬＢ’を構成する複数のＬＥＤ４５ｂ（図１６では１つのみ示している）が並列して配置されている。導光板４２のＬＥＤアレイＬＡ’側は、側端部での厚さが薄く、中央部での厚さが厚いくさび形状に形成されている。同様に、導光板４２のＬＥＤアレイＬＢ’側は、側端部での厚さが薄く、中央部での厚さが厚いくさび形状に形成されている。また導光板４２の対向面９２には、ビーズ等を混入した散乱インクが塗布され、散乱層６２が光散乱要素として形成されている。
【００６１】
各ＬＥＤ４５ａから導光板４２内の領域Ｂに入射した直後の光は、ＬＥＤアレイＬＡ’の離散性の履歴を極めて強く有し、導光量の分布にむらが生じている。ＬＥＤアレイＬＡ’からの距離が遠い位置ほど、隣り合うＬＥＤ４５ａからの光や、さらに隣のＬＥＤ４５ａ等からの光が混ざり合い、ＬＥＤアレイＬＡ’側からの導光量の分布が均一になっている。同様に、各ＬＥＤ４５ｂから導光板４２内の領域Ａに入射した直後の光は、ＬＥＤアレイＬＢ’の離散性の履歴を極めて強く有し、導光量の分布にむらが生じている。ＬＥＤアレイＬＢ’からの距離が遠い位置ほど、隣り合うＬＥＤ４５ｂからの光や、さらに隣のＬＥＤ４５ｂからの光等が混ざり合い、ＬＥＤアレイＬＢ’側からの導光量の分布が均一になっている。
【００６２】
ＬＥＤ４５ａから射出して導光板４２に入射した光は、導光板４２の対向面９２側で反射する際に散乱層６２で散乱される。ところが、光は導光板４２のくさび形状によって反射する度に集光され、光射出面９０に平行な方向に近づいていくため、導光板４２の中央部近傍までは導光が維持されて導光板４２の外にほとんど射出されない。導光板４２の中央部近傍を越えると、導光板４２の対向面９２側で反射する際に散乱層６２で散乱されるとともに、導光板４２のくさび形状によって、反射する度に光射出面９０への入射角が小さくなり、全反射条件が崩れて外部に射出される。このため、ＬＥＤアレイＬＡ’からの光の多くは、ＬＥＤアレイＬＢ’に近い領域Ａ（第１の発光領域）で射出する。同様に、ＬＥＤアレイＬＢ’からの光の多くは、ＬＥＤアレイＬＡ’に近い領域Ｂ（第２の発光領域）で射出する。
【００６３】
バックライトユニット４１は、光源駆動回路（図１６では図示せず）を有している。光源駆動回路は、ＬＥＤアレイＬＡ’の各ＬＥＤ４５ａの発光輝度を最大にするタイミングと、ＬＥＤアレイＬＢ’の各ＬＥＤ４５ｂの発光輝度を最大にするタイミングとを異ならせている。例えば、両タイミングを互いに約８．４ｍｓｅｃ（１／２周期分）ずらして点滅させることによって、発光領域のほぼ半分ずつが交互に点滅する点滅周波数６０Ｈｚの点滅照明を実現できる。
【００６４】
本実施例では、散乱層６２と導光板４２のくさび形状との組合せを採光要素として用いているが、導光板４２の対向面９２に形成されたプリズム面５０、５１からなるプリズム形状を採光要素として用いてもよい。プリズム形状は、プリズム面５０、５１の向く方向からの光を反射又は屈折させるため、上記と同様の選択的な採光が可能である。
【００６５】
本実施例では、ＬＥＤアレイＬＡ’とＬＥＤアレイＬＡ’側からの光が採光される領域Ａとの間の距離が比較的遠く離れ、ＬＥＤアレイＬＢ’とＬＥＤアレイＬＢ’側からの光が採光される領域Ｂとの間の距離が比較的遠く離れている。したがって、十分に混合されて導光量の分布が均一化された光が光射出面９０から射出するため、輝度むらや色むらのない良好な表示品質の得られる光源装置を実現できる。また、本実施例では、ＬＥＤ４５ａが導光板４２の領域Ｂに近接して配置され、ＬＥＤ４５ｂが導光板４２の領域Ａに近接して配置されている。このため、小型で薄型の光源装置を実現できる。
【００６６】
（実施例２−２）
次に、本実施の形態の実施例２−２による光源装置及びそれを備えた表示装置について図１７乃至図２０を用いて説明する。図１７は、本実施例による液晶表示装置の構成を示すブロック図である。図１７に示すように、液晶表示装置は、バックライトユニット４１と、制御回路８４、ゲートバスライン駆動回路８０及びドレインバスライン駆動回路８２からなる駆動回路とを有している。バックライトユニット４１は、光源駆動回路７４を有している。光源駆動回路７４は、制御回路８４に接続されている。制御回路８４には、ＰＣ等のシステム側から出力されたクロックＣＬＫ、データイネーブル信号Ｅｎａｂ及び階調データＤａｔａ等が入力する。制御回路８４は、１フレーム分の画像信号を記憶するフレームメモリ（図示せず）を有している。制御回路８４には、ゲートバスライン駆動回路８０とドレインバスライン駆動回路８２とが接続されている。ゲートバスライン駆動回路８０は例えばシフトレジスタを備えており、制御回路８４内からラッチパルスＬＰを受け取って、表示開始ラインから順次ゲートパルスを出力して線順次駆動をするようになっている。
【００６７】
液晶表示装置は、Ｎ本のゲートバスライン１２−１〜１２−Ｎ（図１７では４本のみ示している）を表示領域９４に有している。各ゲートバスライン１２−１〜１２−Ｎは、ゲートバスライン駆動回路８０に接続されている。表示領域９４は、ほぼ同面積でゲートバスライン１２に平行に延びる４つの領域Ｂ１、Ａ１、Ｂ２、Ａ２に分割されている。領域Ｂ１には、ゲートバスライン１２−１〜１２−（Ｎ／４）が配置されている。領域Ａ１には、ゲートバスライン１２−（Ｎ／４＋１）〜１２−（Ｎ／２）が配置されている。領域Ｂ２には、ゲートバスライン１２−（Ｎ／２＋１）〜１２−（３×Ｎ／４）が配置されている。領域Ａ２には、ゲートバスライン１２−（３×Ｎ／４＋１）〜１２−Ｎが配置されている。
【００６８】
図１８は、本実施例による液晶表示装置の断面構成を示している。図１９は、本実施例による光源装置の断面構成を示している。図１８及び図１９に示すように、液晶表示装置は、透過型の液晶表示パネル３０とバックライトユニット４１とを有している。導光板４２は、採光領域が領域Ｂ１、Ａ１、Ｂ２、Ａ２に４分割されている。導光板４２の対向面９２は、プリズム形状に形成されている。対向面９２のプリズム形状は、採光要素として用いられている。
【００６９】
領域Ｂ１、Ｂ２の対向面９２は、ＬＥＤアレイＬＡ’側からの光がプリズム面５０に入射せず、そのままＬＥＤアレイＬＢ’側に導光するプリズム形状になっている。プリズム面５０は、光射出面９０に対して例えば４０°〜４５°の傾斜角で形成されている。一方、ＬＥＤアレイＬＢ’側からの光は、ある確率でプリズム面５０に入射する。プリズム面５０に入射した光は、全反射条件が崩れて反射又は屈折により導光板４２の外に射出する。したがって、領域Ｂ１、Ｂ２では、基本的にＬＥＤアレイＬＢ’側から導光する光が採り出される。ＬＥＤアレイＬＢ’側から導光する光には、ＬＥＤ４５ｂからの直接の射出光だけでなく、ＬＥＤ４５ａから射出してＬＥＤ４５ｂ側の導光板４２の側端面で反射した反射光等も含まれる。
【００７０】
領域Ａ１、Ａ２の対向面９２は、ＬＥＤアレイＬＢ’側からの光がプリズム面５１に入射せず、そのままＬＥＤアレイＬＡ’側に導光するプリズム形状になっている。一方、ＬＥＤアレイＬＡ’側からの光は、ある確率でプリズム面５１に入射する。プリズム面５１に入射した光は、全反射条件が崩れて反射又は屈折により導光板４２の外に射出する。したがって、領域Ａ１、Ａ２では、基本的にＬＥＤアレイＬＡ’側から導光する光が採り出される。以上のように、導光板４２はほぼ左右対称の断面形状を有している。また、ＬＥＤアレイＬＡ’側から導光する光を採り出す領域Ａ１、Ａ２（第１の発光領域）と、ＬＥＤアレイＬＢ’側から導光する光を採り出す領域Ｂ１、Ｂ２（第２の発光領域）とは交互に配列している。
【００７１】
液晶表示パネル３０とバックライトユニット４１との間には、配光特性を向上させる複数の配光シートからなる配光シート群７２が配置されている。また、バックライトユニット４１の対向面９２側には、光を散乱させて反射させる反射散乱シート７０が配置されている。
【００７２】
図２０は、本実施例による光源装置及びそれを備えた表示装置の駆動方法を示している。横軸方向は時間を表し、縦軸方向は階調データの書込み状態（（書込み／非書込み）とバックライトユニット４１の点滅状態（ＯＮ／ＯＦＦ）とを表している。波形ａは領域Ｂ１での階調データの書込み状態を示し、波形ｂは領域Ａ１での階調データの書込み状態を示している。波形ｃは領域Ｂ２での階調データの書込み状態を示し、波形ｄは領域Ａ２での階調データの書込み状態を示している。また、波形ｅはＬＥＤアレイＬＢ’の点滅状態を示し、波形ｆはＬＥＤアレイＬＡ’の点滅状態を示している。図２０に示すように、光源駆動回路７４は、ラッチパルスＬＰに同期してＬＥＤアレイＬＡ’、ＬＢ’の各ＬＥＤ４５ａ、４５ｂをフレーム周波数（例えば６０Ｈｚ）に等しい点滅周波数で所定の時間だけ発光させている。また光源駆動回路７４は、ＬＥＤアレイＬＡ’の各ＬＥＤ４５ａの発光輝度を最大にするタイミングと、ＬＥＤアレイＬＢ’の各ＬＥＤ４５ｂの発光輝度を最大にするタイミングとを約８．４ｍｓｅｃ（１／２周期分）だけ異ならせている。
【００７３】
発光領域Ｂ１、Ｂ２の画素には、ほぼ同一のタイミングで階調データが書き込まれている。本実施例による液晶表示装置はマルチスキャン型であり、ゲートバスライン駆動回路８０は、ゲートバスライン１２−１、１２−（Ｎ／２＋１）、１２−２、１２−（Ｎ／２＋２）、・・・の順にゲートパルスを出力する。すなわち、発光領域Ｂ１、Ｂ２のゲートバスライン１２が交互に走査されるようになっている。また、ゲートバスライン１２−１にゲートパルスが出力された１／２周期後にゲートバスライン１２−（Ｎ／４＋１）にゲートパルスが出力され、その後ゲートバスライン１２−（３×Ｎ／４＋１）、１２−（Ｎ／４＋２）、１２−（３×Ｎ／４＋２）、・・・の順に走査される。
【００７４】
領域Ｂ１、Ｂ２の画素に階調データが書き込まれてから所定時間経過後に、領域Ｂ１、Ｂ２を発光させるＬＥＤアレイＬＢ’の各ＬＥＤ４５ｂを点灯させる。また、ＬＥＤアレイＬＢ’の各ＬＥＤ４５ｂを消灯した後に、領域Ｂ１、Ｂ２の画素に階調データが書き込まれる。同様に、領域Ａ１、Ａ２の画素に階調データが書き込まれてから所定時間経過後に、領域Ａ１、Ａ２を発光させるＬＥＤアレイＬＡ’の各ＬＥＤ４５ａを点灯させる。また、ＬＥＤアレイＬＡ’の各ＬＥＤ４５ａを消灯した後に、領域Ａ１、Ａ２の画素に階調データが書き込まれる。このように、階調データが書き込まれている領域側のＬＥＤは消灯するようになっている。液晶表示装置では、画素に階調データを書き込んでから液晶分子が所定の傾斜角度で傾くまでに数ｍｓｅｃから数十ｍｓｅｃの時間がかかるため、階調データが書き込まれてからＬＥＤが点灯するまでの時間をできるだけ確保した方が良好な動画の表示品質が得られる。このため、本実施例ではＬＥＤを消灯させた直後に階調データの書込み（書換え）を開始している。
【００７５】
本実施例によれば、実施例２−１と同様の効果が得られるとともに、動画を表示する際にも輪郭ぼけのない良好な表示品質が得られる。また本実施例では、導光板４２が１枚であるため、光源装置の厚さが厚くなることもない。
【００７６】
図２１は、本実施例による液晶表示装置の構成の変形例を示すブロック図である。図２１に示すように、本変形例では、領域Ｂ１、Ａ１のゲートバスライン１２−１〜１２−（Ｎ／２）を駆動するゲートバスライン駆動回路８０と、領域Ｂ２、Ａ２のゲートバスライン１２−（Ｎ／２＋１）〜１２−Ｎを駆動するゲートバスライン駆動回路８０’が互いに独立して設けられている。両ゲートバスライン駆動回路８０、８０’は、制御回路８４に接続されている。ゲートバスライン駆動回路８０がゲートバスライン１２−１にゲート電圧を印加するのと同時に、ゲートバスライン駆動回路８０’はゲートバスライン１２−（Ｎ／２＋１）にゲート電圧を印加する。このようにして、本変形例では、ゲートバスライン駆動回路８０がゲートバスライン１２−１、１２−２、・・・、１２−（Ｎ／２）の順に走査するのと同時に、ゲートバスライン駆動回路８０’がゲートバスライン１２−（Ｎ／２＋１）、１２−（Ｎ／２＋２）、・・・、１２−Ｎの順に走査できるようになっている。本変形例によっても、上記実施例と同様の効果が得られる。
【００７７】
図２２は、本実施例による光源装置の構成の変形例を示す断面図である。図２２に示すように、本変形例では、導光板４２の対向面９２のプリズム形状に代えて、対向面９２上に形成された散乱層６２と導光板４２のくさび形状が採光要素として用いられている。本変形例によっても、上記実施の形態と同様の効果が得られる。
【００７８】
（実施例２−３）
次に、本実施の形態の実施例２−３による表示装置について図２３を用いて説明する。図２３は、本実施例による表示装置の断面構成を示している。図２３に示すように、本実施例では、図１９に示す実施例２−２によるバックライトユニット４１とほぼ同様の構成のフロントライトユニット４１’と、反射型の液晶表示パネル３０’とを組み合わせている。本実施例によれば、小型かつ薄型で、輝度むら及び色むらのない良好な表示品質の得られる表示装置が実現できる。
【００７９】
（実施例２−４）
次に、本実施の形態の実施例２−４による光源装置及びそれを備えた表示装置について図２４乃至図２６を用いて説明する。図２４は、本実施例による液晶表示装置の断面構成を示している。図２５は、本実施例による光源装置の断面構成を示している。図２４及び図２５に示すように、本実施例によるバックライトユニット４１は、積層して配置された２枚の導光板４２ａ、４２ｂを有している。導光板４２ａ、４２ｂの採光領域は、４つの領域Ａ１、Ａ２、Ｂ１、Ｂ２に分割されている。一方の導光板４２ａの一側端面（図２４及び図２５では左側端面）には、ＬＥＤアレイＬＡ’を構成する複数のＬＥＤ４５ａが並列して配置されている。また、導光板４２ａの他側端面（図２４及び図２５では右側端面）には、ＬＥＤアレイＬＢ’を構成する複数のＬＥＤ４５ｂが並列して配置されている。領域Ｂ１の導光板４２は、ＬＥＤアレイＬＡ’側の厚さが薄く、ＬＥＤアレイＬＢ’側の厚さが厚くなるように対向面９２が光射出面９０に対して傾斜し、くさび形状に形成されている。また領域Ａ１の導光板４２は、ＬＥＤアレイＬＡ’側の厚さが厚く、ＬＥＤアレイＬＢ’側の厚さが薄くなるように対向面９２が光射出面９０に対して傾斜し、くさび形状に形成されている。領域Ａ１、Ｂ１の対向面９２には、光散乱要素である散乱層６２が形成されている。導光板４２ａは、ＬＥＤアレイＬＡ’側からの光を領域Ａ１に導光する導光領域と、ＬＥＤアレイＬＢ’側からの光を領域Ｂ１に導光する導光領域とを有している。
【００８０】
他方の導光板４２ｂの一側端面（図２４及び図２５では左側端面）には、ＬＥＤアレイＬＡ’’を構成する複数のＬＥＤ４５ａが並列して配置されている。また、導光板４２ｂの他側端面（図２４及び図２５では右側端面）には、ＬＥＤアレイＬＢ’’を構成する複数のＬＥＤ４５ｂが並列して配置されている。領域Ｂ２の導光板４２は、ＬＥＤアレイＬＡ’’側の厚さが薄く、ＬＥＤアレイＬＢ’’側の厚さが厚くなるように対向面９２が光射出面９０に対して傾斜し、くさび形状に形成されている。また領域Ａ２の導光板４２は、ＬＥＤアレイＬＡ’’側の厚さが厚く、ＬＥＤアレイＬＢ’’側の厚さが薄くなるように対向面９２が光射出面９０に対して傾斜し、くさび形状に形成されている。領域Ａ２、Ｂ２の対向面９２には、光散乱要素である散乱層６２が形成されている。導光板４２ｂは、ＬＥＤアレイＬＡ’’側からの光を領域Ａ２に導光する導光領域と、ＬＥＤアレイＬＢ’’側からの光を領域Ｂ２に導光する導光領域とを有している。
【００８１】
図２６は、本実施例による光源装置及びそれを備えた表示装置の駆動方法を示している。横軸方向は時間を表し、縦軸方向は階調データの書込み状態（（書込み／非書込み）とバックライトユニット４１の点滅状態（ＯＮ／ＯＦＦ）とを表している。波形ａは領域Ａ１での階調データの書込み状態を示し、波形ｂは領域Ａ２での階調データの書込み状態を示している。波形ｃは領域Ｂ１での階調データの書込み状態を示し、波形ｄは領域Ｂ２での階調データの書込み状態を示している。また、波形ｅはＬＥＤアレイＬＡ’の点滅状態を示し、波形ｆはＬＥＤアレイＬＡ’’の点滅状態を示している。波形ｇはＬＥＤアレイＬＢ’の点滅状態を示し、波形ｈはＬＥＤアレイＬＢ’’の点滅状態を示している。
【００８２】
図２６に示すように、光源駆動回路７４（図２４では図示せず）は、ＬＥＤアレイＬＡ’、ＬＡ’’、ＬＢ’、ＬＢ’’の各ＬＥＤ４５ａ、４５ｂをフレーム周波数（例えば６０Ｈｚ）に等しい点滅周波数で所定の時間だけ発光させている。また光源駆動回路７４は、ＬＥＤアレイＬＡ’の各ＬＥＤ４５ａの発光輝度を最大にするタイミングと、ＬＥＤアレイＬＡ’’の各ＬＥＤ４５ａの発光輝度を最大にするタイミングとを約４．２ｍｓｅｃ（１／４周期分）だけ異ならせている。同様に、ＬＥＤアレイＬＡ’’の各ＬＥＤ４５ａの発光輝度を最大にするタイミングと、ＬＥＤアレイＬＢ’の各ＬＥＤ４５ｂの発光輝度を最大にするタイミングとは約４．２ｍｓｅｃだけ異なり、ＬＥＤアレイＬＢ’の各ＬＥＤ４５ｂの発光輝度を最大にするタイミングと、ＬＥＤアレイＬＢ’’の各ＬＥＤ４５ｂの発光輝度を最大にするタイミングとは約４．２ｍｓｅｃだけ異なっている。また、ＬＥＤアレイＬＢ’’の各ＬＥＤ４５ｂの発光輝度を最大にするタイミングと、ＬＥＤアレイＬＡ’の各ＬＥＤ４５ａの発光輝度を最大にするタイミングとは約４．２ｍｓｅｃだけ異なっている。
【００８３】
領域Ａ１の画素に階調データが書き込まれてから所定時間経過後に、領域Ａ１を発光させるＬＥＤアレイＬＡ’の各ＬＥＤ４５ａを点灯させる。また、ＬＥＤアレイＬＡ’の各ＬＥＤ４５ａを消灯した後に、領域Ａ１の画素に階調データが書き込まれる。領域Ａ２の画素に階調データが書き込まれてから所定時間経過後に、領域Ａ２を発光させるＬＥＤアレイＬＡ’’の各ＬＥＤ４５ａを点灯させる。また、ＬＥＤアレイＬＡ’’の各ＬＥＤ４５ａを消灯した後に、領域Ａ２の画素に階調データが書き込まれる。同様に、領域Ｂ１の画素に階調データが書き込まれてから所定時間経過後に、領域Ｂ１を発光させるＬＥＤアレイＬＢ’の各ＬＥＤ４５ｂを点灯させる。また、ＬＥＤアレイＬＢ’の各ＬＥＤ４５ｂを消灯した後に、領域Ｂ１の画素に階調データが書き込まれる。領域Ｂ２の画素に階調データが書き込まれてから所定時間経過後に、領域Ｂ２を発光させるＬＥＤアレイＬＢ’’の各ＬＥＤ４５ｂを点灯させる。また、ＬＥＤアレイＬＢ’’の各ＬＥＤ４５ｂを消灯した後に、領域Ｂ２の画素に階調データが書き込まれる。
【００８４】
このように、階調データが書き込まれている領域のＬＥＤは消灯するようになっている。液晶表示装置では、画素に階調データを書き込んでから液晶分子が所定の傾斜角度で傾くまでに数ｍｓｅｃから数十ｍｓｅｃの時間がかかるため、階調データが書き込まれてからＬＥＤが点灯するまでの時間をできるだけ確保した方が良好な動画の表示品質が得られる。このため、本実施例ではＬＥＤを消灯させた直後に階調データの書込み（書換え）を開始している。本実施例によれば、実施例２−１と同様の効果が得られるとともに、動画を表示する際にも輪郭ぼけのない良好な表示品質が得られる。また、本実施の形態によれば、実施例２−２と異なり、マルチスキャン型の液晶表示装置が必要ないため、駆動回路が複雑化することがない。
【００８５】
以上説明したように、本実施の形態によれば、ＬＥＤ等の離散的な光源列を使用するスキャン型の光源装置及びそれを備えた表示装置を容易に実現できる。また、本実施の形態によれば、小型かつ薄型で狭額縁な表示装置を実現でき、色再現範囲が広く、輪郭ぼけがなく動画質に優れ、輝度及び色の均一な表示装置を実現できる。
【００８６】
本発明は、上記実施の形態に限らず種々の変形が可能である。
例えば、上記実施の形態ではアクティブマトリクス型の液晶表示装置を例に挙げたが、本発明はこれに限らず、単純マトリクス型の液晶表示装置にも適用できる。
また、上記実施の形態では、導光板４２の採光領域が２つ又は４つの領域に分割されているが、本発明はこれに限らず、任意の分割数の領域に分割できる。
さらに、上記実施の形態では、ＴＮモードの液晶表示装置を例に挙げたが、本発明はこれに限らず、ＭＶＡモードやＩＰＳモード等の他の液晶表示装置にも適用できる。
【００８７】
以上説明した第１の実施の形態による光源装置及びそれを備えた表示装置は、以下のようにまとめられる。
（付記１）
光を射出する第１及び第２の光源と、
前記第１の光源近傍以外の領域に配置され、前記第１の光源側から導光する光を外部に採り出す第１の採光要素を有する第１の発光領域と、前記第２の光源近傍以外の領域に配置され、前記第２の光源側から導光する光を外部に採り出す第２の採光要素を有する第２の発光領域とを備えた面状導光板と
を有することを特徴とする光源装置。
【００８８】
（付記２）
付記１記載の光源装置において、
前記第１及び第２の採光要素は、前記面状導光板表面に形成されたプリズム形状を含むこと
を特徴とする光源装置。
【００８９】
（付記３）
付記１又は２に記載の光源装置において、
前記第１及び第２の採光要素は、前記面状導光板表面に形成された光散乱要素を含むこと
を特徴とする光源装置。
【００９０】
（付記４）
付記１乃至３のいずれか１項に記載の光源装置において、
前記面状導光板は、前記第１及び第２の光源にそれぞれ対向する端面に、光を反射させる光反射要素を有していること
を特徴とする光源装置。
【００９１】
（付記５）
付記１乃至４のいずれか１項に記載の光源装置において、
前記第１及び第２の光源は、それぞれ並列して配置された複数の点状光源であること
を特徴とする光源装置。
【００９２】
（付記６）
付記１乃至５のいずれか１項に記載の光源装置において、
前記第１の光源は前記第２の発光領域に近接して配置され、
前記第２の光源は前記第１の発光領域に近接して配置されていること
を特徴とする光源装置。
【００９３】
（付記７）
付記１乃至６のいずれか１項に記載の光源装置において、
前記第１の光源側からの光を前記第１の発光領域に導光する第１の導光領域と、前記第２の光源側からの光を前記第２の発光領域に導光する第２の導光領域とをさらに有し、
前記第１及び第２の導光領域は、１枚の前記面状導光板に備えられていることを特徴とする光源装置。
【００９４】
（付記８）
付記１乃至６のいずれか１項に記載の光源装置において、
前記第１の光源側からの光を前記第１の発光領域に導光する第１の導光領域と、前記第２の光源側からの光を前記第２の発光領域に導光する第２の導光領域とをさらに有し、
前記第１及び第２の導光領域は、積層して配置された２枚の前記面状導光板にそれぞれ備えられていること
を特徴とする光源装置。
【００９５】
以上説明した第２の実施の形態による光源装置及びそれを備えた表示装置は、以下のようにまとめられる。
（付記９）
付記１乃至８のいずれか１項に記載の光源装置において、
前記第１及び第２の光源を所定の点滅周波数でかつ互いに異なる所定のタイミングで発光させる光源駆動回路をさらに有していること
を特徴とする光源装置。
【００９６】
（付記１０）
付記１乃至９のいずれか１項に記載の光源装置において、
前記第１及び第２の発光領域は、それぞれ複数個に分割されて交互に配列していること
を特徴とする光源装置。
【００９７】
（付記１１）
付記１乃至１０のいずれか１項に記載の光源装置において、
前記第１及び第２の採光要素は、前記面状導光板のくさび形状を含むこと
を特徴とする光源装置。
【００９８】
（付記１２）
付記１乃至１１のいずれか１項に記載の光源装置において、
前記面状導光板は、光学的に互いに独立して複数設けられていること
を特徴とする光源装置。
【００９９】
（付記１３）
複数の画素からなる表示領域を備えた表示パネルと、前記表示パネルに所定の駆動信号を供給する駆動回路と、前記表示パネルを照明する光源装置とを有する表示装置において、
前記光源装置は、付記１乃至１２のいずれか１項に記載の光源装置が用いられていること
を特徴とする表示装置。
【０１００】
（付記１４）
付記１３記載の表示装置において、
前記表示パネルは、一対の基板と前記一対の基板間に封止された液晶とを備えた液晶表示パネルが用いられていること
を特徴とする表示装置。
【０１０１】
（付記１５）
付記１３又は１４に記載の表示装置において、
前記第１及び第２の発光領域は、前記表示領域の走査方向に配列していること
を特徴とする表示装置。
【０１０２】
（付記１６）
付記１３乃至１５のいずれか１項に記載の表示装置において、
前記点滅周波数は、前記表示パネルのフレーム周波数に等しいこと
を特徴とする表示装置。
【０１０３】
（付記１７）
付記１３乃至１６のいずれか１項に記載の表示装置において、
前記駆動回路は、前記タイミングに同期して前記表示パネルに前記駆動信号を供給するマルチスキャンを行うこと
を特徴とする表示装置。
【０１０４】
【発明の効果】
以上の通り、本発明によれば、小型かつ薄型で良好な表示品質の得られる光源装置及びそれを備えた表示装置を実現できる。
【図面の簡単な説明】
【図１】本発明の第１の実施の形態の基本構成による液晶表示装置の構成を示す図である。
【図２】本発明の第１の実施の形態の基本構成による光源装置の構成を示す図である。
【図３】本発明の第１の実施の形態の実施例１−１による光源装置の構成を示す断面図である。
【図４】本発明の第１の実施の形態の実施例１−１による光源装置の構成を示す断面図である。
【図５】本発明の第１の実施の形態の実施例１−２による光源装置の構成を示す断面図である。
【図６】本発明の第１の実施の形態の実施例１−３による光源装置の構成を示す断面図である。
【図７】本発明の第１の実施の形態の実施例１−４による光源装置の構成を示す断面図である。
【図８】本発明の第１の実施の形態の実施例１−５による光源装置の構成を示す断面図である。
【図９】本発明の第１の実施の形態の実施例１−６による光源装置の構成を示す断面図である。
【図１０】本発明の第１の実施の形態の実施例１−６による光源装置の導光板の散乱強度及び光量の分布を示すグラフである。
【図１１】本発明の第１の実施の形態の実施例１−６の変形例による光源装置の構成を示す断面図である。
【図１２】本発明の第１の実施の形態の実施例１−６の変形例による光源装置の導光板の散乱強度及び光量の分布を示すグラフである。
【図１３】本発明の第１の実施の形態の実施例１−７による液晶表示装置の構成を示す断面図である。
【図１４】本発明の第１の実施の形態の実施例１−８による液晶表示装置の構成を示す断面図である。
【図１５】本発明の第１の実施の形態の実施例１−９による光源装置の構成を示す断面図である。
【図１６】本発明の第２の実施の形態の実施例２−１による光源装置の構成を示す断面図である。
【図１７】本発明の第２の実施の形態の実施例２−２による液晶表示装置の構成を示すブロック図である。
【図１８】本発明の第２の実施の形態の実施例２−２による液晶表示装置の構成を示す断面図である。
【図１９】本発明の第２の実施の形態の実施例２−２による光源装置の構成を示す断面図である。
【図２０】本発明の第２の実施の形態の実施例２−２による液晶表示装置の駆動方法を示す図である。
【図２１】本発明の第２の実施の形態の実施例２−２による液晶表示装置の構成の変形例を示すブロック図である。
【図２２】本発明の第２の実施の形態の実施例２−２による光源装置の構成の変形例を示す断面図である。
【図２３】本発明の第２の実施の形態の実施例２−３による液晶表示装置の構成を示す断面図である。
【図２４】本発明の第２の実施の形態の実施例２−４による液晶表示装置の構成を示す断面図である。
【図２５】本発明の第２の実施の形態の実施例２−４による光源装置の構成を示す断面図である。
【図２６】本発明の第２の実施の形態の実施例２−４による光源装置の駆動方法を示す図である。
【符号の説明】
２　ＴＦＴ基板
４　対向基板
１２　ゲートバスライン
３０　液晶表示パネル
４０　光源装置
４１　バックライトユニット
４２　導光板
４４ａ、４４ｂ　点状光源
４５ａ、４５ｂ　ＬＥＤ
５０、５１　プリズム面
６０　ミラー
６２　散乱層
７０　反射散乱シート
７２　配光シート群
７４　光源駆動回路
８０、８０’　ゲートバスライン駆動回路
８２　ドレインバスライン駆動回路
８４　制御回路
８６、８７　偏光板
９０　光射出面
９２　対向面
９４　表示領域
ＬＡ、ＬＢ　離散的光源列
ＬＡ’、ＬＢ’　ＬＥＤアレイ
【図１】
2004146268.tif 000003
【図２】
2004146268.tif 000004
【図３】
2004146268.tif 000005
【図４】
2004146268.tif 000006
【図５】
2004146268.tif 000007
【図６】
2004146268.tif 000008
【図７】
2004146268.tif 000009
【図８】
2004146268.tif 000010
【図９】
2004146268.tif 000011
【図１０】
2004146268.tif 000012
【図１１】
2004146268.tif 000013
【図１２】
2004146268.tif 000014
【図１３】
2004146268.tif 000015
【図１４】
2004146268.tif 000016
【図１５】
2004146268.tif 000017
【図１６】
2004146268.tif 000018
【図１７】
2004146268.tif 000019
【図１８】
2004146268.tif 000020
【図１９】
2004146268.tif 000021
【図２０】
2004146268.tif 000022
【図２１】
2004146268.tif 000023
【図２２】
2004146268.tif 000024
【図２３】
2004146268.tif 000025
【図２４】
2004146268.tif 000026
【図２５】
2004146268.tif 000027
【図２６】
2004146268.tif 000028